(57)【要約】【課題】脳波情報を用いて精神疾患を判断する際に有用な情報を示すことができ、精神疾患の判断結果のばらつきを低減させることが可能な、脳波情報出力装置を提供する。【解決手段】健常者の睡眠時の脳波情報である健常脳波情報が格納される健常脳波格納部１１と、精神疾患患者の睡眠時の脳波情報である疾患脳波情報が格納される疾患脳波格納部１２と、健常脳波情報が示す波形と、疾患脳波情報が示す波形とを並べて出力する出力部１３とを備えるようにした。【選択図】図１
0003171443.tif 000002
【実用新案登録請求の範囲】
【請求項１】
健常者の睡眠時の脳波情報である健常脳波情報が格納される健常脳波格納部と、
精神疾患患者の睡眠時の脳波情報である疾患脳波情報が格納される疾患脳波格納部と、
前記健常脳波情報が示す波形と、疾患脳波情報が示す波形とを並べて出力する出力部とを備えた脳波情報出力装置。
【請求項２】
被検者の睡眠時の脳波情報である被検者脳波情報を受け付ける受付部を更に備え、
前記出力部は、前記健常脳波波形と、前記疾患脳波波形とに対して、前記被検者脳波情報が示す波形である被検者脳波波形を更に並べて出力する請求項１記載の脳波情報出力装置。
【請求項３】
前記疾患脳波情報は、鬱病患者の脳波情報である請求項１または請求項２記載の脳波情報出力装置。
【請求項４】
請求項１記載の脳波情報出力装置が出力した精神疾患診断用シートであって、
前記健常脳波情報、および疾患脳波情報をそれぞれ示す波形を並べて表した精神疾患診断用シート。
【請求項５】
請求項２記載の脳波情報出力装置が出力した精神疾患診断用シートであって、
前記健常脳波情報、疾患脳波情報、および被検者脳波情報をそれぞれ示す波形を並べて表した精神疾患診断用シート。
【請求項６】
健常者の睡眠時の脳波情報である健常脳波情報を示す波形である健常脳波波形と、
精神疾患患者の睡眠時の脳波情報である疾患脳波情報を示す波形である疾患脳波波形と、を並べて表した精神疾患診断用シート。
【請求項７】
前記健常脳波波形と、前記疾患脳波波形とに対して、被検者の睡眠時の脳波情報である被検者脳波情報を示す波形である被検者脳波波形を更に並べて表した請求項６記載の精神疾患診断用シート。
【請求項８】
前記疾患脳波情報は、鬱病患者の脳波情報である請求項６または請求項７記載の精神疾患診断用シート。
【考案の詳細な説明】
【技術分野】
【０００１】
本考案は、睡眠時の脳波を示す波形を出力する装置および波形を表すシート等に関するものである。
【背景技術】
【０００２】
従来、脳波信号からα波信号とβ波信号を分析し、このα波信号の積分値に対するβ波信号の積分値の割合を演算して脳活動判定情報を得る、又は、複合脳波信号とα波信号とβ波信号の所定のサンプリング回数分の積分値を求め、この複合脳波信号の積分値に対するα波信号の積分値の発生割合をα％とし、複合脳波信号の積分値に対するβ波信号の積分値の発生割合をβ％とし、α％に対するβ％の割合を演算して脳活動判定情報を得るようにし、このような情報により、問診判定の欠点を解決して精神疾患の判別を的確に行うことができるものが知られていた（例えば、特許文献１参照）。
【先行技術文献】
【特許文献】
【０００３】
【特許文献１】特開２００１−１６１６５２号公報（第１頁、第１図等）
【考案の概要】
【考案が解決しようとする課題】
【０００４】
医療の現場においては、基本的には、脳波の情報を利用した被検者の精神疾患の有無の判断は、医師等が被検者の脳波の波形を目視することで行われている。しかしながら、このような目視による判断は、医師等の過去の経験や知識に負うところが大きいため、医師等の経験の豊富さによって、判断にばらつきが生じ、正確な判断結果を得られない、という課題があった。
【課題を解決するための手段】
【０００５】
本考案の脳波情報出力装置は、健常者の睡眠時の脳波情報である健常脳波情報が格納される健常脳波格納部と、精神疾患患者の睡眠時の脳波情報である疾患脳波情報が格納される疾患脳波格納部と、健常脳波情報が示す波形と、疾患脳波情報が示す波形とを並べて出力する出力部とを備えた脳波情報出力装置である。
【０００６】
かかる構成により、脳波情報を用いて精神疾患を判断する際に有用な情報を示すことができ、精神疾患の判断結果のばらつきを低減させることができる。例えば、被検者の脳波の波形を、健常者の脳波の波形および精神疾患患者の脳波の波形と比較しやすくすることができ、精神疾患の有無についての容易にかつ正確な判断を行うことが可能となる。
【０００７】
また、本考案の脳波情報出力装置は、前記脳波情報出力装置において、被検者の睡眠時の脳波情報である被検者脳波情報を受け付ける受付部を更に備え、出力部は、健常脳波波形と、疾患脳波波形とに対して、被検者脳波情報が示す波形である被検者脳波波形を更に並べて出力する脳波情報出力装置である。
【０００８】
かかる構成により、被検者の脳波の波形と、健常者の脳波の波形と、精神疾患患者の脳波の波形とを比較しやすくすることができ、被検者が精神疾患を有するか否かを、容易にかつ正確な判断を行うことができる。
【０００９】
また、本考案の脳波情報出力装置は、前記脳波情報出力装置において、疾患脳波情報は、鬱病患者の脳波情報である脳波情報出力装置である。
【００１０】
かかる構成により、被検者が鬱病患者であるか否かを容易にかつ正確に判断することができる。
【００１１】
また、本考案の精神疾患診断用シートは、前記脳波情報出力装置が出力した精神疾患診断用シートであって、健常脳波情報、および疾患脳波情報をそれぞれ示す波形を並べて表した精神疾患診断用シートである。
【００１２】
かかる構成により、被検者の脳波の波形を、健常者の脳波の波形および精神疾患患者の脳波の波形と比較しやすくすることができ、精神疾患の有無についての容易にかつ正確な判断を行うことができ、脳波情報を用いて精神疾患を判断する際の、判断結果のばらつきを低減させることができる。
【００１３】
また、本考案の精神疾患診断用シートは、前記脳波情報出力装置が出力した精神疾患診断用シートであって、健常脳波情報、疾患脳波情報、および被検者脳波情報をそれぞれ示す波形を並べて表した精神疾患診断用シートである。
【００１４】
かかる構成により、被検者の脳波の波形と、健常者の脳波の波形と、精神疾患患者の脳波の波形とを比較しやすくすることができ、被検者が精神疾患を有するか否かを、容易にかつ正確な判断を行うことができる。
【００１５】
また、本考案の精神疾患診断用シートは、健常者の睡眠時の脳波情報である健常脳波情報を示す波形である健常脳波波形と、精神疾患患者の睡眠時の脳波情報である疾患脳波情報を示す波形である疾患脳波波形と、を並べて表した精神疾患診断用シートである。
【００１６】
かかる構成により、被検者の脳波の波形を、健常者の脳波の波形および精神疾患患者の脳波の波形と比較しやすくすることができ、精神疾患の有無についての容易にかつ正確な判断を行うことができ、脳波情報を用いて精神疾患を判断する際の、判断結果のばらつきを低減させることができる。
【００１７】
また、本考案の精神疾患診断用シートは、前記精神疾患診断用シートにおいて、健常脳波波形と、疾患脳波波形とに対して、被検者の睡眠時の脳波情報である被検者脳波情報を示す波形である被検者脳波波形を更に並べて表した精神疾患診断用シートである。
【００１８】
かかる構成により、被検者の脳波の波形と、健常者の脳波の波形と、精神疾患患者の脳波の波形とを比較しやすくすることができ、被検者が精神疾患を有するか否かを、容易にかつ正確な判断を行うことができる。
【００１９】
また、本考案の精神疾患診断用シートは、前記精神疾患診断用シートにおいて、疾患脳波情報は、鬱病患者の脳波情報である精神疾患診断用シートである。
【００２０】
かかる構成により、被検者が鬱病患者であるか否かを容易にかつ正確に判断することができる。
【考案の効果】
【００２１】
本考案による脳波情報出力装置によれば、脳波情報を用いて精神疾患を判断する際に有用な情報を示すことができ、精神疾患の判断結果のばらつきを低減させることができる。
【００２２】
また、本考案による精神疾患診断用シートによれば、脳波情報を用いて精神疾患を判断する際の、判断結果のばらつきを低減させることができる。
【図面の簡単な説明】
【００２３】
【図１】本発明の実施の形態に係る脳波情報出力装置のブロック図
【図２】同精神疾患診断シートの一例を示す図
【図３】同精神疾患診断シートの一例を示す図
【図４】同脳波情報出力装置の動作を説明するためのフローチャート
【図５】同脳波情報出力装置の概略図
【図６】同脳波情報出力装置に格納されている健常脳波情報の一例を示す図
【図７】同コンピュータシステムの外観の一例を示す図
【図８】同コンピュータシステムの構成の一例を示す図
【考案を実施するための形態】
【００２４】
以下、脳波情報出力装置等の実施形態について図面を参照して説明する。なお、実施の形態において同じ符号を付した構成要素は同様の動作を行うので、再度の説明を省略する場合がある。
【００２５】
（実施の形態）
本願考案は、本願の考案者らによる鋭意研究の結果として得られた、健常者の睡眠時の脳波と、鬱病等の精神疾患との関連についてのこれまでに知られていない知見を利用したものであり、睡眠時の脳波を用いて、被検者の精神疾患の有無の判断を行う際に利用されるものである。つまり、睡眠時の脳波の波形が、精神疾患患者と健常者とでは異なるという知見に基づき、これらの波形を被検者の睡眠時の脳波の波形と比較しやすくなるよう出力することで、精神疾患であるか否かの適切な判断に役立てようとするものである。
【００２６】
図１は、本実施の形態における脳波情報出力装置１０００のブロック図である。
【００２７】
脳波情報出力装置１０００は、健常脳波格納部１１、疾患脳波格納部１２、受付部１３、出力部１４を備える。
【００２８】
健常脳波格納部１１には、１以上の健常脳波情報が格納される。健常脳波情報とは、健常者の睡眠時の脳波情報である。ここで述べる健常者とは、例えば、少なくとも予め指定された精神疾患がない人である。予め指定された精神疾患とは、例えば、鬱病や、統合失調症や、パニック症候群等である。脳波情報は、脳波の情報である。脳波情報は、例えば、脳波計等の出力の情報である。脳波情報は、例えば、時系列に対応付けられた脳波計の１以上の出力値（例えば電圧値）を有する情報である。脳波情報は、例えば、脳波をサンプリングした時間（時刻）と、脳波の出力値とを有する情報であっても良い。なお、脳波情報は、脳波の波形を示す画像データであっても良い。かかることは以下においても同様である。この画像データはベクタデータでもラスタデータであってもよい。また、脳波情報は、実際に脳波計等で取得した実測値に対して、ノイズ除去等の処理を行って得られたデータであっても良い。かかることは以下においても同様である。健常脳波情報は、一の健常者の睡眠中に取得した脳波情報の一部であっても、全部であっても良い。また、健常脳波情報は、睡眠時の予め指定された周期や、フェーズや、期間等の一部の脳波情報であっても良い。例えば、睡眠第一周期の脳波情報や、ＲＥＭ（以下、レムと称す）睡眠時の脳波情報や、ＮＯ−ＲＥＭ（以下、ノンレムと称す）睡眠時の脳波情報や、睡眠開始から、所定時間経過後の脳波情報等であっても良い。また、健常脳波情報は、睡眠時の脳波情報のうちの、予め指定された周波数帯の脳波情報であっても良い。予め指定された周波数帯の脳波情報は、例えば、α波や、β波、γ波、δ波等である。なお、健常脳波格納部１１には、異なる周期や、フェーズ等で取得された脳波情報や、異なる周波数帯の脳波情報が混在していてもよく、このような場合、どの周期、フェーズ、期間等の脳波情報であるかを示す識別情報や、どの周波数帯の情報であるかを示す識別情報を、健常脳波情報が有しているようにしても良い。健常脳波情報は、健常者の代表的な睡眠時の脳波情報であることが好ましい。また、健常脳波情報の予め指定された周期やフェーズや期間の開始位置（開始時間）や終了位置（終了時間）には、頭出し等に利用可能な、いわゆるインデックスの情報や、マーカー等の情報が対応付けられているようにしても良い。健常脳波格納部１１は、不揮発性の記録媒体が好適であるが、揮発性の記録媒体でも実現可能である。
【００２９】
疾患脳波格納部１２には、１以上の疾患脳波情報が格納される。疾患脳波情報は、精神疾患患者の睡眠時の脳波情報である。ここで述べる精神疾患患者とは、例えば、少なくとも予め指定された精神疾患を有する人である。予め指定された精神疾患とは、例えば、上記と同様の、鬱病や、統合失調症や、パニック症候群等である。疾患脳波情報は、一の精神疾患患者の睡眠中に取得した脳波情報の一部であっても、全部であっても良い。また、疾患脳波情報は、睡眠時の予め指定された周期や、フェーズや、期間等の一部の脳波情報であっても良い。また、疾患脳波情報は、睡眠時の脳波情報のうちの、予め指定された周波数帯の脳波情報であっても良い。なお、疾患脳波格納部１２には、異なる周期や、フェーズ等で取得された脳波情報や、異なる周波数帯の脳波情報が混在していてもよく、このような場合、どの周期、フェーズ、期間等の脳波情報であるかを示す識別情報や、どの周波数帯の情報であるかを示す識別情報を、疾患脳波情報が有しているようにしても良い。また、健常脳波情報の予め指定された周期やフェーズや期間の開始位置（開始時間）や終了位置（終了時間）には、頭出し等に利用可能な、いわゆるインデックスの情報や、マーカー等の情報が対応付けられているようにしても良い。また、疾患脳波格納部１２には、異なる精神疾患を有する患者の睡眠時の脳波情報が格納されていても良い。この場合、精神疾患を識別する識別情報を、疾患脳波情報が有しているようにしても良い。疾患脳波格納部１２は、不揮発性の記録媒体が好適であるが、揮発性の記録媒体でも実現可能である。
【００３０】
受付部１３は、１以上の被検者脳波情報を受け付ける。被検者脳波情報は、被検者の睡眠時の脳波情報である。ここでの被検者とは、予め指定された精神疾患の判断対象となる人である。被検者脳波情報については、上述した健常脳波情報や、疾患脳波情報等と同様であるので、ここでは、詳細な説明は省略する。被検者脳波情報は、被検者の識別情報や、判断対象となる精神疾患の識別情報等を有していても良い。ここでの受け付けとは、図示しない記憶媒体等からの読み出しや、脳波計や、他の装置等から送信される被検者脳波情報の受信も含む概念である。受付部１３は、記憶媒体から情報を読み出す手段のデバイスドライバーや、通信手段や、これらの制御ソフトウェア等で実現され得る。
【００３１】
出力部１４は、健常脳波格納部１１に格納されている健常者脳波情報と、疾患脳波格納部１２に格納されている疾患脳波情報とを読み出し、読み出した健常脳波情報が示す波形（以下、健常脳波波形と称す）と、疾患脳波情報が示す波形（以下、疾患脳波波形と称す）とを並べて出力する。出力部１４は、各波形に対して、更に、目盛りや凡例やタイトル等を表示するようにしても良い。出力部１４は、各波形を並べて出力する際、横軸や縦軸の単位や、目盛りの間隔等は同じものとすることが好ましい。ここで述べる出力とは、例えば、波形のモニタ等への表示や、波形の紙や樹脂製のシート等への印刷である。また、表示や、印刷用のデータ（例えば画像データや電子文書形式のデータ等）を生成して送信したり、図示しない記憶媒体等に蓄積することであっても良い。出力部１４による出力は、例えば、精神疾患の判断等に用いられる。出力部１４は、例えば、横軸を時間軸、縦軸を波形出力の値をした健常脳波波形と疾患脳波波形とを出力する。出力部１４は、波形を出力する際に、時間軸や、波形出力の値を示す軸を生成し、出力するようにしても良い。出力部１４は、例えば、健常脳波波形と疾患脳波波形とを、縦に並べて出力する。また、健常脳波波形と疾患脳波波形とを重ねて出力しても良い。出力部１４は、健常脳波波形と、疾患脳波波形とを、異なる色や、線種等で、出力しても良い。
【００３２】
出力部１４は、健常脳波情報および疾患脳波情報が、上述したような周期やフェーズ等の識別情報や周波数帯の識別情報等を有している場合、これらの識別情報の少なくとも一部が一致する健常脳波情報および疾患脳波情報の波形を出力するようにしても良い。また、健常脳波情報および疾患脳波情報に対応付けられているインデックス等の頭出しに利用可能な情報が一致する箇所の波形を、出力しても良い。また、出力部１４は、ユーザにより指定された、周期や、フェーズや、周波数帯等の識別情報を有する健常脳波情報および疾患脳波情報の波形を出力しても良い。また、出力部１４は、健常脳波情報および疾患脳波情報の、ユーザが入力した指示により指定されたインデックス等の頭出しに利用可能な情報が付けられた箇所の波形を出力してもよい。あるいは、ユーザが入力した指示により指定された時間（期間）の健常脳波情報及び疾患脳波情報が示す波形を出力しても良い。なお、ユーザからの指示は、例えば、指示を受け付けるための指示受付部（図示せず）等から受け付けるようにすればよい。また、健常脳波情報と疾患脳波情報とが上述したような精神疾患の識別情報を有する場合、同じ精神疾患の識別情報を有する健常脳波情報を示す波形と疾患脳波情報を示す波形とを出力するようにしても良い。
【００３３】
また、出力部１４は、受付部１３が受け付けた被検者脳波情報が示す波形（以下、被検者脳波波形）を、上記の健常脳波情報及び疾患脳波情報と並べて出力するようにしても良い。例えば、出力部１４は、健常脳波波形と疾患脳波波形と被検者脳波波形を、縦に並べて出力してもよい。特に、縦に並べて出力する際には、出力部１４は、被検者脳波波形を、健常脳波波形と疾患脳波波形との間に挟まれた位置に配置して出力することが好ましい。このようにすることで、被検者脳波波形が、健常者の脳波の波形と精神疾患者の脳波とのどちらに近いかを判断しやすくなる。
【００３４】
出力部１４は、ディスプレイやプリンタ等の出力デバイスを含むと考えても含まないと考えても良い。出力部１４は、出力デバイスのドライバーソフトまたは、出力デバイスのドライバーソフトと出力デバイス等で実現され得る。
【００３５】
図２は、脳波情報出力装置１０００の出力部１４が出力した、健常脳波波形と疾患脳波波形とを表したシートの一例を示す図である。このような健常脳波波形と疾患脳波波形とを少なくとも表したシートは、精神疾患の判断を行うために用いられるシートであることから、ここでは、このようなシートを精神疾患診断用シートと呼ぶ。この精神疾患診断用シート２１においては、シート２２上に、健常脳波波形２３と疾患脳波波形２４とが表されている。シート２２の材質は、紙であってもシート上の受信であっても良い。シート２２の厚さや、大きさは問わない。また、シート２２の色等は問わない。シート２２は、透明なシートであることが好ましい。被検者の睡眠時の脳波の波形と重ね合わせた比較ができるからである。精神疾患診断用シート２１において、健常脳波波形２３および疾患脳波波形２４は、例えば、それぞれ、横軸を時間、縦軸を波形の出力（例えば電圧）とした波形の図として示されている。また、健常脳波波形２３と疾患脳波波形２４とは、縦方向に（即ち縦軸方向に）並べて表示されている。
【００３６】
図３は、脳波情報出力装置１０００の出力部１４が出力した、健常脳波波形と疾患脳波波形と被検者脳波波形とを表した精神疾患診断用シートの一例を示す図である。この精神疾患診断用シート３１においては、上記と同様のシート２２上に、健常脳波波形３３と疾患脳波波形３４と被検者脳波波形３５とが表されている。精神疾患診断用シート３１において、健常脳波波形３３、疾患脳波波形３４、および被検者脳波波形３５は、例えば、それぞれ、横軸を時間、縦軸を波形の出力（例えば電圧）とした波形の図として示されている。また、健常脳波波形３３、疾患脳波波形３４、および被検者脳波波形３５は、被検者脳波波形３５が、健常脳波波形３３と疾患脳波波形３４との間に位置するように、縦方向に（即ち縦軸方向に）並べて表示されている。
【００３７】
次に、脳波情報出力装置１０００の動作について図４のフローチャートを用いて説明する。
【００３８】
（ステップＳ１０１）脳波情報出力装置１０００は、健常脳波波形と疾患脳波波形とを出力する指示を受け付けたか否かを判断する。受け付けた場合、ステップＳ１０２に進み、受け付けていない場合、ステップＳ１０５に進む。
【００３９】
（ステップＳ１０２）出力部１４は、健常脳波格納部１１から健常脳波情報を読み出す。
【００４０】
（ステップＳ１０３）出力部１４は、疾患脳波格納部１２から疾患脳波情報を読み出す。
【００４１】
（ステップＳ１０４）出力部１４は、ステップＳ１０２およびステップＳ１０３で読み出した健常脳波情報と疾患脳波情報とがそれぞれ示す波形とを並べて出力する。例えば、健常脳波波形と疾患脳波波形とを並べて表した精神疾患診断用シート２１を出力する。そして、ステップＳ１０１に戻る。
【００４２】
（ステップＳ１０５）脳波情報出力装置１０００は、健常脳波波形と疾患脳波波形と被検者脳波波形とを出力する指示を受け付けたか否かを判断する。受け付けた場合、ステップＳ１０６に進み、受け付けていない場合、ステップＳ１０１に戻る。
【００４３】
（ステップＳ１０６）受付部１３は、被検者脳波情報を受け付けたか否かを判断する。受け付けた場合、ステップＳ１０７に進み、受け付けていない場合、ステップＳ１０６に戻る。
【００４４】
（ステップＳ１０７）出力部１４は、健常脳波格納部１１から健常脳波情報を読み出す。
【００４５】
（ステップＳ１０８）出力部１４は、疾患脳波格納部１２から疾患脳波情報を読み出す。
【００４６】
（ステップＳ１０９）出力部１４は、ステップＳ１０６で受け付けた被検者脳波情報が示す波形と、ステップＳ１０７およびステップＳ１０８で読み出した健常脳波情報と疾患脳波情報とがそれぞれ示す波形とを並べて出力する。例えば、健常脳波波形と疾患脳波波形との間に、被検者脳波波形を並べて表した精神疾患診断用シート３１を出力する。そして、ステップＳ１０１に戻る。
【００４７】
なお、図４のフローチャートにおいて、電源オフや処理終了の割り込みにより処理は終了する。
【００４８】
以下、本実施の形態における脳波情報出力装置１０００の具体的な動作について説明する。
【００４９】
図５は、脳波情報出力装置１０００の概念図である。図において、脳波情報出力装置１０００の出力部１４は、出力デバイスであるプリンタ１００１と、モニタ１００２と接続されている。
【００５０】
図６は、健常脳波格納部１１に格納されている健常脳波情報の一例を示す図である。健常脳波情報は、サンプリングした時間（秒）である「時間」と、取得された脳波の出力（μＶ）である「出力」という項目を有している。ここでの「時間」は、脳波情報の測定開始からの経過時間であるとする。ただし、実際の時刻であっても良い。なお、ここでは、一例として、健常脳波格納部１１には、一の健常脳波情報だけが格納されている場合について説明するが、複数の健常脳波情報が格納されており、出力対象となる一の健常脳波情報をユーザの指示により選択できるようにしても良い。
【００５１】
また、疾患脳波格納部１２にも、ここでは、図６と同様の一の疾患脳波情報が格納されているものとする。ただし、この疾患脳波格納部１２にも、健常脳波格納部１１の場合と同様に、複数の疾患脳波情報が格納されており、出力対象となる一の疾患脳波情報をユーザの指示により選択できるようにしても良い。
【００５２】
まず、ユーザが、キーボードやマウス等を操作して、入力メニュー等を介して、脳波情報出力装置１０００の図示しない指示受付部等に、健常脳波波形と疾患脳波波形とを出力する指示を入力したとする。また、ここでは、出力先を、プリンタ１００１とモニタ１００２とのいずれかに指定する情報も入力したとする。
【００５３】
出力部１４は、図６に示した健常脳波情報と、図６と同様の疾患脳波情報とを、それぞれ、健常脳波格納部１１と、疾患脳波格納部１２とから読み出す。
【００５４】
そして、出力部１４は、読み出した情報を、上記で入力された出力先に出力する。例えば、出力先としてプリンタ１００１が選択された場合、読み出した健常脳波情報と疾患脳波情報とをプロットして得られる波形の画像情報、即ち、健常脳波波形の画像情報と、疾患脳波波形の画像情報とをそれぞれ生成し、これらを縦に並べて配置した画像情報を生成する。例えば、予め用意されたテンプレート等に、波形の画像が配置される。そして、生成された画像情報を、プリンタ１００１を介して、例えば、透明なシート（例えば、透明なフィルム等）に印刷する。
【００５５】
これにより、図２に示すような精神疾患診断用シート２１が得られる。なお、ここで得られる精神疾患診断用シート２１のシート２２は、透明なシートである。
【００５６】
この精神疾患診断用シート２１は、透明なシートであるため、この精神疾患診断用シート２１に示されている健常脳波波形や、疾患脳波波形を、この精神疾患診断用シート２１とは別に出力した被検者脳波波形と重ね合わせて比較することが可能となる。これにより、比較の際に使いやすく、なおかつ、正確な判断を行うことが可能となる。
【００５７】
また、出力先をモニタ１００２に指定した場合、図２に示した精神疾患診断用シート２１に表示されている画像と同様の、健常脳波波形と疾患脳波波形とを縦に並べた画像がモニタ１００２に表示される。
【００５８】
また、ユーザが、キーボードやマウス等を操作して、入力メニュー等を介して、脳波情報出力装置１０００の図示しない指示受付部等に、健常脳波波形と疾患脳波波形と被検者脳波波形とを出力する指示を入力したとする。また、ここでは、出力先を、プリンタ１００１とモニタ１００２とのいずれかに指定する情報も入力したとする。
【００５９】
この指示が入力されると、モニタ１００２上に、出力対象となる被検者脳波情報をユーザに指定することを求める情報が表示される。そして、ユーザが、予め脳波情報出力装置１０００の図示しない記憶媒体等に予め格納されている被検者脳波情報を指定する情報（例えば、被検者脳波情報のファイル名やパス名）を図示しない指示受付部等に入力したとする。なお、被検者脳波情報は、予め、脳波情報出力装置１０００の図示しない記憶媒体等に格納されているものとする。また、この被検者脳波情報は、図６に示した健常脳波情報と同様の情報であるとする。
【００６０】
図示しない指示受付部等が被検者脳波情報の指定を受け付けると、出力部１４は、指定された被検者脳波情報を読み出す。また、上記と同様に、健常脳波情報と、疾患脳波情報とを、それぞれ、健常脳波格納部１１と、疾患脳波格納部１２とから読み出す。
【００６１】
そして、出力部１４は、読み出した情報を、上記で入力された出力先に出力する。例えば、出力先としてプリンタ１００１が選択された場合、読み出した被検者脳波情報と健常脳波情報と疾患脳波情報とをプロットして得られる波形の画像情報、即ち、被検者脳波波形の画像情報と、健常脳波波形の画像情報と、疾患脳波波形の画像情報とをそれぞれ生成し、これらを、被検者脳波波形が健常脳波波形と疾患脳波波形との間に位置するよう、縦に並べて配置した画像情報を生成する。例えば、予め用意されたテンプレート等に、波形の画像が配置される。そして、生成された画像情報を、プリンタ１００１を介して、ここでは、透明なシート（例えば、透明なフィルム等）に印刷する。
【００６２】
これにより、図３に示すような精神疾患診断用シート３１が得られる。なお、ここで得られる精神疾患診断用シート３１のシート２２は、透明なシートである。また、被検者脳波情報に、被検者の名前等の識別情報が含まれている場合、これを、被検者脳波波形の画像の近傍に表示指定もよい。
【００６３】
この精神疾患診断用シート３１は、精神疾患診断用シート２１と同様の使い方ができるとともに、この精神疾患診断用シート３１だけでも、被検者脳波波形と、健常脳波波形および疾患脳波波形との比較を行うことが可能となる。また、被検者脳波情報が、健常脳波波形および疾患脳波波形と間に位置しているため、比較するもの同士の位置が近く、また、その間に他の波形が表示されていないため、非常に比較がしやすい。
【００６４】
また、出力先をモニタ１００２に指定した場合、図３に示した精神疾患診断用シート３１に表示されている画像と同様の、被検者脳波波形と健常脳波波形と疾患脳波波形とを縦に並べた画像がモニタ１００２に表示される。
【００６５】
以上、本実施の形態によれば、健常脳波波形と疾患脳波波形とを並べて出力することができるため、例えば、医師等が、この出力結果が示すそれぞれの波形と被検者の脳波情報が示す波形との目視による比較を行うことで、被検者の脳波情報が示す波形が、精神疾患を有する者のものであるか否かをより正確に、かつ容易に判断することが可能となる。
【００６６】
また、健常脳波波形と疾患脳波波形と被検者脳波波形とを並べて出力することができるため、例えば、医師等が、この出力結果が示す被検者脳波波形と、他の脳波波形とを、目視による比較を行うことで、被検者の脳波情報が示す波形が、精神疾患を有する者のものであるか否かをより正確に、かつ容易に判断することが可能となる。
【００６７】
特に、被検者脳波波形を、健常脳波波形と疾患脳波波形との間に配置して、これらの波形を縦に並べるようにしたことで、被検者脳波波形と、健常脳波波形および疾患脳波波形とのそれぞれとの距離が近くなるため、被検者脳波波形と、健常脳波波形および疾患脳波波形との比較がより容易になる。
【００６８】
また、特に、透明なシートに、これらの波形を印刷したことによりに、このシートに印刷された健常脳波波形と、疾患脳波波形とを、被検者の脳波波形と重ね合わせて、どちらにより近いかを判断することでき、精神疾患の有無の判断を容易に行うことが可能となる。
【００６９】
なお、上記各実施の形態において、各処理（各機能）は、単一の装置（システム）によって集中処理されることによって実現されてもよく、あるいは、複数の装置によって分散処理されることによって実現されてもよい。
【００７０】
また、上記各実施の形態では、脳波情報出力装置がスタンドアロンである場合について説明したが、脳波情報出力装置は、スタンドアロンの装置であってもよく、サーバ・クライアントシステムにおけるサーバ装置であってもよい。後者の場合には、出力部や受付部は、通信回線を介して入力を受け付けたり、画面を出力したりすることになる。
【００７１】
なお、上記各実施の形態における脳波情報出力装置を実現するソフトウェアは、以下のようなプログラムである。つまり、このプログラムは、健常者の睡眠時の脳波情報である健常脳波情報が格納される健常脳波格納部と、精神疾患患者の睡眠時の脳波情報である疾患脳波情報が格納される疾患脳波格納部と、にアクセス可能なコンピュータを、健常脳波情報が示す波形と、疾患脳波情報が示す波形とを並べて出力する出力部として機能させるためのプログラムである。
【００７２】
なお、上記プログラムにおいて、上記プログラムが実現する機能には、ハードウェアでしか実現できない機能は含まれない。例えば、情報を取得する取得部や、情報を出力する出力部などにおけるモデムやインターフェースカードなどのハードウェアでしか実現できない機能は、上記プログラムが実現する機能には含まれない。
【００７３】
また、このプログラムを実行するコンピュータは、単数であってもよく、複数であってもよい。すなわち、集中処理を行ってもよく、あるいは分散処理を行ってもよい。
【００７４】
図７は、上記プログラムを実行して、上記実施の形態による脳波情報出力装置を実現するコンピュータの外観の一例を示す模式図である。上記実施の形態は、コンピュータハードウェア及びその上で実行されるコンピュータプログラムによって実現されうる。
【００７５】
図７において、コンピュータシステム９００は、ＣＤ−ＲＯＭ（Ｃｏｍｐａｃｔ  Ｄｉｓｋ  Ｒｅａｄ  Ｏｎｌｙ  Ｍｅｍｏｒｙ）ドライブ９０５、ＦＤ（Ｆｌｏｐｐｙ（登録商標）  Ｄｉｓｋ）ドライブ９０６を含むコンピュータ９０１と、キーボード９０２と、マウス９０３と、モニタ９０４とを備える。
【００７６】
図８は、コンピュータシステム９００の内部構成を示す図である。図８において、コンピュータ９０１は、ＣＤ−ＲＯＭドライブ９０５、ＦＤドライブ９０６に加えて、ＭＰＵ（Ｍｉｃｒｏ  Ｐｒｏｃｅｓｓｉｎｇ  Ｕｎｉｔ）９１１と、ブートアッププログラム等のプログラムを記憶するためのＲＯＭ９１２と、ＭＰＵ９１１に接続され、アプリケーションプログラムの命令を一時的に記憶すると共に、一時記憶空間を提供するＲＡＭ（Ｒａｎｄｏｍ  Ａｃｃｅｓｓ  Ｍｅｍｏｒｙ）９１３と、アプリケーションプログラム、システムプログラム、及びデータを記憶するハードディスク９１４と、ＭＰＵ９１１、ＲＯＭ９１２等を相互に接続するバス９１５とを備える。なお、コンピュータ９０１は、ＬＡＮへの接続を提供する図示しないネットワークカードを含んでいてもよい。
【００７７】
コンピュータシステム９００に、上記実施の形態による脳波情報出力装置等の機能を実行させるプログラムは、ＣＤ−ＲＯＭ９２１、またはＦＤ９２２に記憶されて、ＣＤ−ＲＯＭドライブ９０５、またはＦＤドライブ９０６に挿入され、ハードディスク９１４に転送されてもよい。これに代えて、そのプログラムは、図示しないネットワークを介してコンピュータ９０１に送信され、ハードディスク９１４に記憶されてもよい。プログラムは実行の際にＲＡＭ９１３にロードされる。なお、プログラムは、ＣＤ−ＲＯＭ９２１やＦＤ９２２、またはネットワークから直接、ロードされてもよい。
【００７８】
プログラムは、コンピュータ９０１に、上記実施の形態による脳波情報出力装置の機能を実行させるオペレーティングシステム（ＯＳ）、またはサードパーティプログラム等を必ずしも含んでいなくてもよい。プログラムは、制御された態様で適切な機能（モジュール）を呼び出し、所望の結果が得られるようにする命令の部分のみを含んでいてもよい。コンピュータシステム９００がどのように動作するのかについては周知であり、詳細な説明は省略する。
【００７９】
本考案は、以上の実施の形態に限定されることなく、種々の変更が可能であり、それらも本考案の範囲内に包含されるものであることは言うまでもない。
【産業上の利用可能性】
【００８０】
以上のように、本考案にかかる脳波情報出力装置および精神疾患判断用シート等は、脳波情報から精神疾患を判断するための装置およびシート等として適しており、特に、睡眠時の脳波情報から精神疾患を判断するための装置およびシート等として有用である。
【符号の説明】
【００８１】
１１  健常脳波格納部
１２  疾患脳波格納部
１３  受付部
１４  出力部
２１、３１  精神疾患診断用シート
２２  シート
２３、３３  健常脳波波形
２４、３４  疾患脳波波形
３５  被検者脳波波形
１０００  脳波情報出力装置
１００１  プリンタ
【図１】
0003171443.tif 000003
【図４】
0003171443.tif 000004
【図５】
0003171443.tif 000005
【図６】
0003171443.tif 000006
【図７】
0003171443.tif 000007
【図８】
0003171443.tif 000008
【図２】
0003171443.tif 000009
【図３】
0003171443.tif 000010
【手続補正書】
【提出日】平成23年8月31日(2011.8.31)
【手続補正１】
【補正対象書類名】実用新案登録請求の範囲
【補正対象項目名】全文
【補正方法】変更
【補正の内容】
【実用新案登録請求の範囲】
【請求項１】
健常者の睡眠時の脳波情報である健常脳波情報が格納される健常脳波格納部と、
精神疾患患者の睡眠時の脳波情報である疾患脳波情報が格納される疾患脳波格納部と、
前記健常脳波情報が示す波形と、疾患脳波情報が示す波形とを並べて出力する出力部とを備えた脳波情報出力装置。
【請求項２】
被検者の睡眠時の脳波情報である被検者脳波情報を受け付ける受付部を更に備え、
前記出力部は、前記健常脳波波形と、前記疾患脳波波形とに対して、前記被検者脳波情報が示す波形である被検者脳波波形を更に並べて出力する請求項１記載の脳波情報出力装置。
【請求項３】
前記疾患脳波情報は、鬱病患者の脳波情報である請求項１または請求項２記載の脳波情報出力装置。
【請求項４】
請求項１記載の脳波情報出力装置が出力した精神疾患診断用シートであって、
時間軸を表す横軸と、波形出力の値を表す縦軸と、前記健常脳波情報を示す波形である健常脳波波形とを示す図と、
時間軸を表す横軸と、波形出力の値を表す縦軸と、前記疾患脳波情報を示す波形である疾患脳波波形とを示す図とを、
縦に並べて表した精神疾患診断用シート。
【請求項５】
請求項２記載の脳波情報出力装置が出力した精神疾患診断用シートであって、
時間軸を表す横軸と、波形出力の値を表す縦軸と、前記健常脳波情報を示す波形である健常脳波波形とを示す図と、
時間軸を表す横軸と、波形出力の値を表す縦軸と、前記疾患脳波情報を示す波形である疾患脳波波形とを示す図と、
時間軸を表す横軸と、波形出力の値を表す縦軸と、前記被検者脳波情報を示す波形である被検者脳波波形とを示す図とを、
前記健常脳波波形を示す図と、前記疾患脳波波形を示す図との間に、前記被検者脳波波形を示す図が位置するよう縦に並べて表した精神疾患診断用シート。
【請求項６】
時間軸を表す横軸と、波形出力の値を表す縦軸と、健常者の睡眠時の時系列に対応付けられた脳波計の１以上の出力値を有する情報である健常脳波情報を示す波形である健常脳波波形とを示す図と、
時間軸を表す横軸と、波形出力の値を表す縦軸と、精神疾患患者の睡眠時の時系列に対応付けられた脳波計の１以上の出力値を有する情報である疾患脳波情報を示す波形である疾患脳波波形とを示す図と、を縦に並べて表した精神疾患診断用シート。
【請求項７】
時間軸を表す横軸と、波形出力の値を表す縦軸と、被検者の睡眠時の時系列に対応付けられた脳波計の１以上の出力値を有する情報である被検者脳波情報を示す波形である被検者脳波波形を示す図を、
前記健常脳波波形を示す図と、前記疾患脳波波形を示す図との間に位置するように、縦方向に更に並べて表した請求項６記載の精神疾患診断用シート。
【請求項８】
前記疾患脳波情報は、鬱病患者の脳波情報である請求項６または請求項７記載の精神疾患診断用シート。